(57)【特許請求の範囲】
【請求項１】
打ち出し前の基準位置と待機させた遊技球を叩いて遊技領域に向けて打ち出す打出位置との間で変位可能な打出先端部を有するノックアームと、前記ノックアームを変位させるための駆動装置と、前記遊技球を前記打出位置に待機させるように供給する供給装置と、を備えた遊技機において、
前記基準位置に位置する前記ノックアームを外部から接触不能に遮蔽するとともに、前記ノックアームの変位軌跡上に前記打出先端部を露呈する露呈開口が形成された遮蔽部材と、
前記駆動装置とは別個に設けられ、操作可能な操作部を有し、前記ノックアームを変位させる変位可能な操作部材と、を備え、
前記操作部を操作することで、前記ノックアームの前記打出先端部を前記露呈開口から露呈させることを特徴とする遊技機。
【請求項２】
前記操作部材は、前記ノックアームを変位させた位置で保持するアーム保持部を備えたことを特徴とする請求項１記載の遊技機。
【請求項３】
前記ノックアームを変位させた位置で前記操作部材の変位を保持する保持部材を備えたことを特徴とする請求項１または２記載の遊技機。
【請求項４】
前記供給装置は、前記遊技球を前記打出位置に待機させるように供給する位置で、且つ前記操作部材の操作を不能とする位置に着脱可能に設けられ、
前記操作部材は、前記供給装置が取り付けられているときには操作不能となり、前記供給装置が取り外されたときに操作可能となることを特徴とする請求項１ないし３いずれか１つ記載の遊技機。
【発明の詳細な説明】
【技術分野】
【０００１】
本発明は、パチンコ店等の遊技場に設置して使用されるパチンコ機等の遊技機に関するものである。
【背景技術】
【０００２】
遊技場に設置される遊技機の一つとしてパチンコ機が挙げられる。このパチンコ機には、パチンコ球（遊技球）が打ち出される遊技領域が形成された遊技盤が本体ユニットに配設され、その遊技盤の前面がガラス板を保持したガラス枠により被覆される構成となっている。遊技盤面には、レールにより規制された遊技領域が形成され、この遊技領域には複数の釘、風車、始動入賞口、アタッカ、図柄可変表示装置、等が設けられた構成となっている。これら始動入賞口、アタッカ及び払出入賞口にパチンコ球が入ることを入賞とし、入賞によりパチンコ球を獲得することができる。パチンコ球には一定の価値が与えられ、遊技を行って獲得したパチンコ球を種々の景品に交換することができる。
【０００３】
このようなパチンコ機では、パチンコ球を遊技領域に向けて打ち出す発射装置と、発射装置にパチンコ球を供給する供給装置とが設けられている。発射装置には、パチンコ球を叩いて遊技領域に向けて打ち出すノックアームが設けられている。ノックアームの打出先端部は、パチンコ球を叩くときにパチンコ球に接触するため、パチンコ球に付着した汚れが、打出先端部に付着することがある。このため、ノックアームは、前面扉を開放したときに清掃することができるように、露呈されている。
【０００４】
また、特許文献１では、供給される遊技球を受け入れるガイド部と、ガイド部内で回転可能な回転アーム（本発明のノックアーム）とを備え、遊技球を回転アームの回転によってガイド部から遊技盤上に向けて発射するとともに、回転アームによる発射動作後にガイド部に残留する遊技球を回転アームの回転により除去させる遊技機の球発射装置が提案されている。
【特許文献１】特開平８−２１５３８０号公報
【発明の開示】
【発明が解決しようとする課題】
【０００５】
しかしながら、特許文献１の遊技機の球発射装置においても、遊技機に取り付けた場合には、前枠を開放するだけで回転アームが露呈してしまうため、回転アームの遊技球を打ち出す打出先端部が改造され易いという問題があった。回転アームの打出先端部が改造されると、パチンコ球の打ち出し力や打ち出されたパチンコ球のスピン量が変化し、それにより不正にパチンコ球を獲得される（ゴト行為）ことがあり、問題があった。
【０００６】
本発明は、上記課題を解決するためになされたものであり、ノックアームがあからさまに露呈されることを防止することができる遊技機を提供することを目的とする。
【課題を解決するための手段】
【０００７】
上記目的を達成するために、本発明の遊技機は、打ち出し前の基準位置と待機させた遊技球を叩いて遊技領域に向けて打ち出す打出位置との間で変位可能な打出先端部を有するノックアームと、前記ノックアームを変位させるための駆動装置と、前記遊技球を前記打出位置に待機させるように供給する供給装置と、を備えた遊技機において、前記基準位置に位置する前記ノックアームを外部から接触不能に遮蔽するとともに、前記ノックアームの変位軌跡上に前記打出先端部を露呈する露呈開口が形成された遮蔽部材と、前記駆動装置とは別個に設けられ、操作可能な操作部を有し、前記ノックアームを変位させる変位可能な操作部材と、を備え、前記操作部を操作することで、前記ノックアームの前記打出先端部を前記露呈開口から露呈することを特徴とする。なお、前記ノックアームの変位及び前記操作部材の変位としては、回動や移動等が挙げられる。また、前記露呈開口を、前記供給装置から前記遊技球を前記打出位置に待機させるように供給するための供給開口と共通化するようにしてもよい。さらに、前記操作部材は、前記操作部の他に、前記ノックアームに当接して変位させる変位部を備える変位自在なリンク機構であって、前記操作部の変位に応じて前記変位部が前記打出先端部を前記露呈開口から露呈させるまで前記ノックアームを変位させるものである。
【０００８】
また、前記操作部材は、前記ノックアームを変位させた位置で保持するアーム保持部を備えることが好ましい。さらに、前記ノックアームを変位させた位置で前記操作部材の変位を保持する保持部材を備えることが好ましい。
【０００９】
また、前記供給装置は、前記遊技球を前記打出位置に待機させるように供給する位置で、且つ前記操作部材の操作を不能とする位置に着脱可能に設けられ、前記操作部材は、前記供給装置が取り付けられているときには操作不能となり、前記供給装置が取り外されたときに操作可能となることが好ましい。
【発明の効果】
【００１０】
本発明の遊技機によれば、打ち出し前の基準位置と待機させた遊技球を叩いて遊技領域に向けて打ち出す打出位置との間で変位可能な打出先端部を有するノックアームと、ノックアームを変位させるための駆動装置と、遊技球を打出位置に待機させるように供給する供給装置と、基準位置に位置するノックアームを外部から接触不能に遮蔽するとともに、ノックアームの変位軌跡上に打出先端部を露呈する露呈開口が形成された遮蔽部材と、駆動装置とは別個に設けられ、操作可能な操作部を有し、ノックアームを変位させる変位可能な操作部材と、を備え、操作部を操作することで、ノックアームの打出先端部を露呈開口から露呈するから、打ち出し前は基準位置に位置するノックアームは、露呈開口から露呈していないため、ノックアーム、特に打出先端部に対する不正行為を確実に防止することができ、さらには、ノックアームを清掃する場合には、操作部材によりノックアームを露呈位置まで変位させて、露呈開口からノックアームを露呈させることにより、行うことができる。
【００１１】
また、操作部材は、ノックアームを変位させた位置で保持するアーム保持部を備えたから、操作部材を変位させるだけで、ノックアームを打出先端部が露呈開口から露呈する位置で保持し続けることができる。
【００１２】
さらに、ノックアームを変位させた位置で操作部材の変位を保持する保持部材を備えたから、ノックアーム清掃時に、操作部材を持ち続ける必要がなく、清掃時の手間を軽減することができる。
【００１３】
また、供給装置は、遊技球を打出位置に待機させるように供給する位置で、且つ操作部材の操作を不能とする位置に着脱可能に設けられ、操作部材は、供給装置が取り付けられているときには操作不能となり、供給装置が取り外されたときに操作可能となるから、ノックアームを露呈開口から露呈させるために変位部材を変位させるためには、供給装置を取り外す必要があるため、ノックアームに対する不正行為の手間を増やすことができ、さらには、遊技場の管理者が誤って操作部材を操作するという誤操作を防止することができる。また、供給装置を取り付けておくことにより、遊技機を遊技機製造メーカーから遊技場に運搬するとき等に、振動により操作部材が変位することがない。
【発明を実施するための最良の形態】
【００１４】
図１及び図２に示すように、遊技機の１実施例であるパチンコ機（遊技機）２は、本体枠３の内部に遊技盤４が配設されており、本体枠３の前面には前面扉５が開閉自在に取り付けられている。前面扉５の下方には、打球供給用の供給皿６を含む供給皿ユニット７が設けられている。供給皿ユニット７は、ベース板（遮蔽部材）８に、供給皿６と、球発射装置１８（図４参照）によるパチンコ球（遊技球）９の打ち出し強さを調節する回動自在な操作ハンドル１０と、が設けられている。操作ハンドル１０は、パチンコ機２の遊技利益の増減に影響を与える制御を行う主制御部４０（図４参照）に接続されており、回動量に応じた回動量信号を主制御部４０に出力する。
【００１５】
遊技盤４のパチンコ球９が打ち出される遊技領域４ａの略中央には、始動入賞口１２へパチンコ球９を入賞させるなどの所定入賞条件に基づいて遊技中に様々な図柄を液晶画面に所定時間内において変動表示させた後に停止表示させる図柄可変表示装置１１が設けられている。図柄可変表示装置１１の周りには、始動入賞口１２、通常入賞口１３、アタッカ１４、アウト口１５が設けられており、アタッカ１４は、遊技盤４に一体的に組み付けられている。また、遊技盤４の略中央には、センター役物１６が一体的に組み付けられており、センター役物１６に形成された開口１６ａを介して、図柄可変表示装置１１を視認することができる。
【００１６】
各入賞口１２,１３内には、各入賞口１２,１３に入ったパチンコ球９を検知する入賞球検知センサが設けられている。遊技者は、供給皿６にパチンコ球９を投入してパチンコ球９を、供給皿６内に設けられた誘導路を介して球供給装置１７（図４参照）へと導く。球供給装置１７に導かれたパチンコ球９は、球供給装置１７により球発射装置１８へと供給される。そして、遊技者が、回動式の操作ハンドル１０を回動すると、主制御部４０（図４参照）に回動量に応じた回動量信号が入力され、主制御部４０は、入力された回動量信号に応じて球発射装置１８の駆動を制御し、操作ハンドル１０の回動量に応じた打ち出し強さでパチンコ球９を、遊技盤４の遊技領域４ａの上方に向けて打ち出される。打ち出されたパチンコ球９は遊技領域４ａの上方から流下する途中で各入賞口１２,１３のいずれかまたはアタッカ１４に入るか、あるいはアウト口１５から回収される。
【００１７】
アタッカ１４の奥には大入賞口２１が設けられており、大入賞口２１内には、大入賞口２１に入ったパチンコ球９を検知する大入賞球検知センサが設けられている。アタッカ１４は大入賞口２１を開放する開放位置と大入賞口２１を閉じる閉じ位置との間で回動自在に取り付けられている。なお、パチンコ機２の遊技領域４ａに設けられている複数の釘、風車などの構造物は公知であるので説明は省略する。
【００１８】
供給皿ユニット７には、球供給装置１７（図４参照）と、球発射装置１８（図４参照）と、球供給装置１７及び球発射装置１８を露呈及び遮蔽するための回動カバー２５と、が設けられており、回動カバー２５は、供給皿６の左方であってベース板８に前後方向に向けて開閉自在に取り付けられている。回動カバー２５には、灰皿２５ａが形成されており、遊技における演出用の演出ボタン２６が取り付けられている。図１は、回動カバー２５閉じ状態の斜視図であり、図２は、回動カバー２５開放状態の斜視図である。回動カバー２５は、前面扉５が閉じている状態では、開放不能になるようにされており、回動カバー２５を開放する場合には、前面扉５の施錠を開放キーにより解除し、前面扉５を開放した後に行う。なお、図２においては、簡略的に、前面扉５を閉じた状態で回動カバー２５を開放した状態を示している。
【００１９】
図３に示すように、ベース板（遮蔽部材）８には、球供給装置１７及び球発射装置１８のメンテナンスを行うためのメンテナンス開口（露呈開口）２８（図３中の拡大図におけるハッチングエリア部分）が形成され、このメンテナンス開口２８は、回動カバー２５を閉じたときに遮蔽される。メンテナンス開口２８からは、球供給装置１７と球発射装置１８の一部とが視認可能となっており、球供給装置１７及び球発射装置１８のメンテナンスを行う場合には、回動カバー２５を開放して行う。
【００２０】
図４及び図５に示すように、球供給装置１７は、供給皿６に投入され、供給皿６内に設けられた誘導路を介して導かれたパチンコ球９を球発射装置１８の球送出部３４へと１球ずつ送出して供給（パチンコ球９を打出位置に待機させるように供給）するものであり、メンテナンス開口２８から視認可能な位置に設けられている。球供給装置１７には、導入開口１７ａと送出開口１７ｂとが形成されており、供給皿６の誘導路を導かれたパチンコ球９は、導入開口１７ａから球供給装置１７内に入り、送出開口１７ｂから球発射装置１８の球送出部３４に向けて送り出される。球供給装置１７は、ベース板８の取付部に着脱自在に取り付けられている。球供給装置１７は、後述する左右方向に移動自在なメンテナンスレバー３７の左方に取り付けられており、球供給装置１７がベース板８の取付部に取り付けられた状態では、メンテナンスレバー３７の左方向への移動が規制される。
【００２１】
球発射装置１８は、板状のベース３１、モータ（駆動装置）３２、ノックアーム３３、球送出部３４、球ガイド部３５、アーム基準位置決め部３６を備えて構成されている。ノックアーム３３の前方には、メンテナンスレバー（操作部材）３７が左右方向に移動自在に設けられている。球発射装置１８は、球送出部３４の一部及び球ガイド部３５がメンテナンス開口２８から視認可能となるように、本体枠３内部に取り付けられている。なお、図４（Ａ）は、メンテナンスレバー３７が基準位置に位置するときの斜視図、図４（Ｂ）は、メンテナンスレバー３７の移動によりノックアーム３３を打出位置まで回動させるメンテナンス位置に位置するときの斜視図、図５（Ａ）は、メンテナンスレバー３７が基準位置に位置するときの正面図、図５（Ｂ）は、メンテナンスレバー３７の移動によりノックアーム３３を打出位置まで回動させる露呈位置に位置するときの正面図である。
【００２２】
モータ（駆動装置）３２は、ベース３１に取り付けられており、モータ３２のモータシャフト３２ａには、ノックアーム３３の一端が取り付けられている。これにより、モータ３２が駆動され、モータシャフト３２ａが回動すると、ノックアーム３３の一端を軸にして他端側が回動する。モータ３２は、パチンコ機２の主制御を行う主制御部４０に接続されており、主制御部４０によって駆動が制御される。詳しくは、主制御部４０は、操作ハンドル１０から任意に入力される回動量信号に応じて、モータ３２の駆動を制御し、操作ハンドル１０の回動量に応じた打ち出し強さでノックアーム３３を回動させ、パチンコ球９を遊技盤４の遊技領域４ａに向けて打ち出させる。
【００２３】
ノックアーム３３は、球供給装置１７から供給されたパチンコ球９を遊技領域に向けて打ち出すものであり、略Ｌ字状のアーム部３３ａと、アーム部３３ａの先端部に取り付けられた打出槌（打出先端部）３３ｂとからなる。ノックアーム３３は、打ち出し前の基準位置（図４（Ａ）及び図５（Ａ）参照）と、パチンコ球９を叩いて遊技領域４ａに向けて打ち出す打出位置（図４（Ｂ）及び図５（Ｂ）参照）との間で回動可能に設けられている。アーム部３３ａの一端には、回動中心となる軸孔が形成され、この軸孔にはモータ３２のモータシャフト３２ａが圧入され、モータシャフト３２ａにはナットが締め付けられている。
【００２４】
球送出部３４は、球供給装置１７から供給されるパチンコ球９を、ノックアーム３３の回動軌跡上に送り出すものであり、断面が略Ｌ字状に形成され、ベース３１に取り付けられている。球送出部３４には、球供給装置１７から供給されるパチンコ球９を、ノックアーム３３の回動軌跡上で且つ打出位置に送り出した後に待機させるための切欠き３４ａと三角形状のガイドリブ３４ｂと球規制部３４ｃとが形成されている。切欠き３４ａは、球供給装置１７の送出開口１７ｂに連通されており、球供給装置１７から切欠き３４ａに向けてパチンコ球９が供給される。切欠き３４ａに向けて供給されたパチンコ球９は、ガイドリブ３４ｂによりノックアーム３３の回動軌跡上に案内され、切欠き３４ａ内の打出位置で待機する。球規制部３４ｃは、球ガイド部３５の右側面との隙間が、パチンコ球９の径よりも僅かに小さくなるように形成されている。これにより、球供給装置１７から供給されるパチンコ球９が下方に落下することがない。
【００２５】
球ガイド部３５は、球送出部３４の切欠き３４ａに供給されたパチンコ球９をガイドするものであり、断面が略コ字状の板金により形成され、ベース３１の球送出部３４の左方に取り付けられている。球ガイド部３５は、右側面と球送出部３４の切欠き３４ａよりも上側部との隙間がパチンコ球９の径よりも僅かに大きくなるように配置されている。これにより、球供給装置１７から供給されるパチンコ球９は、球送出部３４と球ガイド部３５との間に位置することとなる。
【００２６】
アーム基準位置決め部３６は、ノックアーム３３の基準位置（図４（Ａ）及び図５（Ａ）参照）の位置決めを行うものであり、左側面に開口が形成された箱状に形成され、該開口にゴム製の位置決め当接部３６ａが嵌合されている。ノックアーム３３を図５におけるＡ方向に回動し、ノックアーム３３が位置決め当接部３６ａに当接した位置がノックアーム３３の基準位置となる。位置決め当接部３６ａにゴム製のものを用いることにより、ノックアーム３３が位置決め当接部３６ａに当接したときの衝撃及び反発力を抑え、素早くノックアーム３３を基準位置に位置させることができる。
【００２７】
メンテナンスレバー（操作部材）３７は、手動で操作することでノックアーム３３を時計方向に回動させるものであり、供給皿ユニット７内部（裏面）に配設された保持部材３８に、左右方向に移動自在に取り付けられ、供給皿ユニット７を本体枠３に取り付けたときに、ノックアーム３３の前方に配置される。メンテナンスレバー３７は、板状に形成されている。図４及び図６に示すように、メンテナンスレバー３７の左側端部の前面には、操作者がメンテナンスレバー３７を左右に移動させるときの摘みとなる凸状の摘み部（操作部）３７ａが形成されている。メンテナンスレバー３７の略中心部には、保持部材３８の軸ボス３８ａを挿通させるために、軸ボス３８ａよりも僅かに径の大きい長孔状の挿通孔３７ｂが形成されている。軸ボス３８ａは、左右方向に離れた位置に２個形成され、挿通孔３７ｂは２個の軸ボス３８ａのピッチよりも左右方向に長い長孔状に形成されているため、挿通孔３７ｂに２個の軸ボス３８ａを挿通させると、メンテナンスレバー３７は、上下方向が位置決めされ、左右方向にのみ移動自在となる。
【００２８】
メンテナンスレバー３７の右側端部の後面には、ノックアーム３３のアーム部３３ａの右側面３３ｃ（図６（Ｂ）参照）に当接してノックアーム３３を保持しながら時計方向に回動させる当接ボス（アーム保持部）３７ｃが形成されている。メンテナンスレバー３７の右側端部の前面には、メンテナンスレバー３７の移動に応じて保持部材３８の第１保持リブ３８ｂ及び第２保持リブ３８ｃ（図６参照）に当接する凸状の当接突起３７ｄが形成されている。メンテナンスレバー３７は、基準位置に位置するときに摘み部３７ａがメンテナンス開口２８から操作可能に露呈するように、保持部材３８に取り付けられている。なお、遊技を行う際には、メンテナンスレバー３７を基準位置に位置させる。
【００２９】
図４及び図６に示すように、保持部材３８は、メンテナンスレバー３７を移動自在に保持するものであり、供給皿ユニット７内部に配設されている。保持部材３８は、後面側（図６における上面側）に開口が形成された箱状に形成され、メンテナンスレバー３７の挿通孔３７ｂに挿通させる２個の軸ボス３８ａと、当接突起３７ｄと当接してメンテナンスレバー３７を基準位置（図４（Ａ）及び図６（Ａ）参照）に係止させてその移動を規制する第１保持リブ３８ｂと、当接突起３７ｄと当接してメンテナンスレバー３７をメンテナンス位置（図４（Ｂ）及び図６（Ｂ）参照）に係止させてその移動を規制する第２保持リブ３８ｃとが形成されている。当接突起３７ｄと第１保持リブ３８ｂ及び第２保持リブ３８ｃとは、前後方向（図６における上下方向）においてオーバーラップするようにされており、多少の振動ではメンテナンスレバー３７が移動することがなく、操作者が一定以上の力を加えたときにのみメンテナンスレバー３７の右側端部が変形して、メンテナンスレバー３７が移動可能となるようになっている。上記した当接突起３７ｄと第１保持リブ３８ｂ及び第２保持リブ３８ｃとの前後方向（図６における上下方向）のオーバーラップする量は、当接突起３７ｄ、第１保持リブ３８ｂ及び第２保持リブ３８ｃの形状や、操作者がどの程度の力を加えたときにメンテナンスレバー３７が移動するようにするか等に応じて適宜変更されるものである。
【００３０】
上記のように構成されたパチンコ機２の作用について説明する。遊技者が、パチンコ機２で遊技を行う場合には、ノックアーム３３の打出槌３３ｂによりパチンコ球９を叩いて、パチンコ球９を遊技盤４の遊技領域４ａに向けて打ち出させるため、打出槌３３ｂのパチンコ球９に接触する部分が汚れたり、打出槌３３ｂの先端部が変形してくる。そのため、打出槌３３ｂを清掃したり、打出槌３３ｂの先端部の形状を調整する必要がある。遊技場の管理者が打出槌３３ｂを清掃する等のメンテナンスを行う場合には、先ず、図２及び図３に示すように、前面扉５を開放した後に回動カバー２５を開放する。次に、球供給装置１７を取り外し、メンテナンスレバー３７の左方向への移動を可能にする。そして、図４及び図５に示すように、メンテナンスレバー３７の摘み部３７ａを把持してスライド操作することで、メンテナンスレバー３７を、基準位置（図４（Ａ）及び図５（Ａ）参照）からメンテナンス位置（図４（Ｂ）及び図５（Ｂ）参照）まで移動させる。これにより、当接ボス３７ｃがノックアーム３３のアーム部３３ａの右側面３３ｃに当接して、ノックアーム３３を強制的に回動させるため、ノックアーム３３の打出槌３３ｂは、メンテナンス開口２８から露呈する。そして、遊技場の管理者は、打出槌３３ｂを清掃する等のメンテナンスを行う。このとき、メンテナンスレバー３７は、保持部材３８の第２保持リブ３８ｃと当接突起３７ｄとの係止により、メンテナンス位置に保持される（図６（Ｂ）参照）。
【００３１】
このように、ノックアーム３３の打出槌３３ｂは、メンテナンスレバー３７が基準位置に位置するときには、メンテナンス開口２８から露呈していないため、打出槌３３ｂに対する不正行為を確実に防止することができる。
【００３２】
また、遊技場の管理者が打出槌３３ｂを清掃する等のメンテナンスを行う場合には、球供給装置１７を取り外し、メンテナンスレバー３７を基準位置からメンテナンス位置まで移動させることにより、打出槌３３ｂがメンテナンス開口２８から露呈するため、球供給装置１７を取り外し、メンテナンスレバー３７を基準位置からメンテナンス位置まで移動させるだけで、容易に打ち槌３３ｂのメンテナンスを行うことができる。
【００３３】
メンテナンスレバー３７は、移動した位置で保持部材３８により移動規制（保持）されるから、ノックアーム３３清掃時に、メンテナンスレバー３７を持ち続ける必要がなく、清掃時の手間を軽減することができる。
【００３４】
さらに、球供給装置１７を、メンテナンスレバー３７を左方向に移動させる操作を規制する位置に着脱自在に設け、メンテナンスレバー３７は、球供給装置１７が取り付けられているときには移動不能となり、球供給装置１７が取り外されたときに移動可能となるようにしたから、ノックアーム３３をメンテナンス開口２８から露呈させるためにメンテナンスレバー３７を移動させるためには、球供給装置１７を取り外す必要があるため、ノックアーム３３の打出槌３３ｂに対する不正行為の手間を増やすことができ、さらには、遊技場の管理者が誤ってメンテナンスレバー３７を操作するという誤操作を防止することができる。
【００３５】
また、メンテナンスレバー３７に、摘みとなる摘み部３７ａを設けたから、メンテナンスレバー３７を容易に移動させることができる。
【００３６】
なお、上記実施形態では、メンテナンスレバー３７を左右方向に移動させることにより、ノックアーム３３を回動させたが、これに限定されることなく、例えば、メンテナンスレバー３７を回動可能に設け、メンテナンスレバー３７の回動によりノックアーム３３を回動させるようにしてもよい。
【図面の簡単な説明】
【００３７】
【図１】本発明を実施したパチンコ機の外観を示す斜視図である。
【図２】回動カバーが開放された状態のパチンコ機の斜視図である。
【図３】回動カバーが開放された状態のパチンコ機の下側部分の正面図である。
【図４】球供給装置と球発射装置とメンテナンスレバーと保持部材とを示す斜視図である。
【図５】球発射装置とメンテナンスレバーとを示す正面図である。
【図６】メンテナンスレバーと保持部材とを示す上側面断面図である。
【符号の説明】
【００３８】
２  パチンコ機（遊技機）
３  本体枠
４  遊技盤
４ａ  遊技領域
７  供給皿ユニット
８  ベース板（遮蔽部材）
９  パチンコ球（遊技球）
１７  球供給装置
１８  球発射装置
２８  メンテナンス開口（露呈開口）
３２  モータ（駆動装置）
３３  ノックアーム
３３ａ  アーム部
３３ｂ  打出槌（打出先端部）
３７  メンテナンスレバー（操作部材）
３７ａ  摘み部（操作部）
３７ｃ  当接ボス（アーム保持部）
３８  保持部材
【図１】
0004417309.tif 000002
【図２】
0004417309.tif 000003
【図３】
0004417309.tif 000004
【図４】
0004417309.tif 000005
【図５】
0004417309.tif 000006
【図６】
0004417309.tif 000007